(57)【要約】  医療で使用するための製品を収容した包体のマルチパッケージ（２１）は、被覆容器（２３）を含み、この被覆容器には、前記包体の少なくとも二つの束（２５、３５）が取り付けられており、これらの束は、各束の被覆容器が、扇状に拡がるように、一方の側（２５ａ、３５ａ）に沿って互いに接合されており且つ反対側（２５ｂ、３５ｂ）に沿って自由であるように構成されている。前記束は、マルチパッケージの大きさを大幅に大きくする必要なしに、マルチパッケージの容量を最大にするように、前記被覆容器（２３）の内側に取り付けられる。【選択図】  図２ａ
2008504184.tif 000002
【特許請求の範囲】
【請求項１】
医療で使用するための製品を収容した包体のマルチパッケージ（２１）であって、被覆容器（２３）を備え、該被覆容器には、互いに重ねられた前記包体からなる少なくとも二つの束（２５、３５）が固定されており、前記少なくとも二つの束は、各束の包体が、扇状に拡がるように、一方の側（２５ａ、３５ａ）に沿って互いに接合されており且つ反対側（２５ｂ、３５ｂ）に沿って互いに自由であるように配置されている、パッケージにおいて、
前記少なくとも二つの束は、前記パッケージを閉鎖したとき、前記少なくとも二つの束のうちの第１束の前記包体（２５、３５）の前記接合側（２５ａ、２５ｂ）及び前記少なくとも二つの束のうちの第２束の前記包体（２５、３５）の前記自由側（２５ｂ、３５ｂ）が同じ方向に向けられて、前記少なくとも二つの束が、互いに逆向きの状態で向き合うように、前記被覆容器（２３）に固定されている、ことを特徴とするパッケージ。
【請求項２】
請求項１に記載のパッケージにおいて、
前記被覆容器（２３）には、該被覆容器（２３）の二つ以上の部分（２３ａ、２３ｂ）を画定するため、折り目線（２４）が設けられており、前記部分の各々には対応する包体の束（２５、３５）が固定されており、前記マルチパッケージ（２１）は、前記被覆容器（２３）の前記部分（２３ａ、２３ｂ）を、互いに対応させて、前記折り目線（２４）に沿って折り畳むことによって閉鎖できる、パッケージ。
【請求項３】
請求項１に記載のパッケージにおいて、
前記被覆容器（９３）は、二つの互いに対向する永久開口部を備えており、前記包体を引き出すため、前記開口部を通して前記包体（９５、１０５）の自由側（９５ｂ、１０５ｂ）にアクセスできる、パッケージ。
【請求項４】
請求項１に記載のパッケージにおいて、
前記被覆容器（９３）は実質的に剛性である、パッケージ。
【請求項５】
請求項２に記載のパッケージにおいて、
前記包体の前記束は、前記接合側を、前記被覆容器の前記部分の境界を定める前記折り目線に関し、全て平行にするか、又は、全て垂直にして、２つの異なる向きに配置することができる、パッケージ。
【請求項６】
請求項５に記載のパッケージにおいて、
前記被覆容器は四つの部分に分けられており、該四つの部分のうちの第１部分は、該第１部分に設けられた包体の束を第２部分の包体の束と向き合わせることによって、時計廻り方向／反時計廻り方向に折り畳むことができ、前記四つの部分のうちの第４部分は、該第４部分に設けられた包体の束を第３部分の包体の束と向き合わせることによって、反時計廻り方向／時計廻り方向に折り畳むことができ、その結果形成された部分の両方は、互いに対応させて折り畳むことにより、単一のコンパクトなパッケージを形成することができ、前記被覆容器の内側の中央位置には、適宜に互いの間隔が隔てられた少なくとも二つの平行な折り目線が設けられている、パッケージ。
【請求項７】
請求項１に記載のパッケージにおいて、
関連する前記包体（９５、１０５）を引き出すために該包体（９５、１０５）の自由側（９５ｂ、１０５ｂ）に容易にアクセスできるように、前記束は、向き合ったときに互い違いの方向を向くように前記被覆容器（９３）に固定されている、パッケージ。
【請求項８】
請求項２に記載のパッケージにおいて、
前記被覆容器（４３）の前記部分（４３ａ−４３ｄ）の各々には、並列に配置された少なくとも二つの前記包体の束（４５ａ−４５ｄ）が固定されており、これにより製品の詰め合わせを収容できる、パッケージ。
【請求項９】
請求項１に記載のパッケージにおいて、
前記被覆容器（９３）は、二つの開口部を有する箱によって形成されており、前記開口部の各々は、中央小翼部（７６、７７）及び一対の側方小翼部（７９ａ、７９ｂ；８１ａ、８１ｂ）を前記被覆容器（７３）の内側に向けて折り曲げることによって閉鎖できる、パッケージ。
【請求項１０】
請求項１に記載のパッケージにおいて、
前記被覆容器（９３）は、２つの対向する永久開口部を有する箱によって形成されている、パッケージ。
【請求項１１】
請求項１に記載のパッケージにおいて、
前記被覆容器（５３）には、閉鎖手段（６０、６１）及び／又は、固定支持体、例えば壁、に対する圧着手段（６２）が設けられている、パッケージ。
【請求項１２】
請求項１１に記載のパッケージにおいて、
前記閉鎖手段（６０、６１）は、好ましくは、引き裂き開放（ｔｅａｒ−ｏｐｅｎｉｎｇ）型の手段であり、例えば微小フック−ループファスナを備えている、パッケージ。
【請求項１３】
請求項１１に記載のパッケージにおいて、
前記圧着手段（６２）は、好ましくは、両面接着テープを含む、パッケージ。
【請求項１４】
請求項１１に記載のパッケージにおいて、
前記マルチパッケージ（５１）を支持体に開放位置で固定したとき、前記包体（５５、６５）の自由側（５５ｂ、６５ｂ）は下方に向く、パッケージ。
【請求項１５】
請求項１乃至１４のうちのいずれか一項に記載のパッケージにおいて、
前記包体の内側に収容された絆創膏（２７、３７）は、迅速開放（ｆａｓｔ  ｏｐｅｎｉｎｇ）型である、パッケージ。
【請求項１６】
請求項１乃至１５のうちいずれか一項に記載のパッケージにおいて、
医療で使用するための前記製品は、絆創膏、膏剤、テーブルナプキン、薬用又は消毒タンポン、一般的な使い捨て製品を含む、パッケージ。
【請求項１７】
請求項１乃至１６のうちのいずれか一項に記載のパッケージにおいて、
前記パッケージ（２１）は、例えば絆創膏及び消毒タンポン等の異種の製品の詰め合わせを収容する包体（２５、３５）が配置されている、パッケージ。
【発明の詳細な説明】
【技術分野】
【０００１】
本発明は、医療で使用するための製品を収容した包体（ｗｒａｐｐｅｒ）のマルチパッケージに関する。更に詳細には、本発明は、絆創膏（ａｄｈｅｓｉｖｅ  ｂａｎｄａｇｅ）、膏剤、消毒、又は創傷治療手段等の医療で使用するための製品を収容した包体のマルチパッケージに関する。
【背景技術】
【０００２】
絆創膏を収容した複数の包体が箱の中に緩く挿入されているのでなく、扇状に組み合わされて全体に薄い板紙支持体に取り付けられたパッケージが既に存在していることが知られている。支持体は、包体を一般的なマッチのパッケージを思い起こさせる配置で収容している。
【０００３】
上文中に説明した従来技術による絆創膏のパッケージの一例は、英国特許第９０４，６３２号で提案されている。この特許には、必要な場合に一度に一枚ずつ引き出される一連の重なった絆創膏を内部に収容した被覆容器（ｅｎｖｅｌｏｐｅ）によって形成された絆創膏のマルチパッケージが開示されている。
【０００４】
米国特許第４，１９４，６２４号には、絆創膏のマルチパッケージ用の閉鎖可能な被覆容器が開示されている。この被覆容器では、支持体、例えば壁に固定できる閉鎖可能な被覆容器内に収容されたパッケージ内で複数の包体が整理されており、この被覆容器から前記絆創膏を必要な場合に一度に一枚ずつ直接取り出すことができる。
【０００５】
米国特許第６，２２５，５２２号、米国特許第６，１２４，５２２号、及び米国特許出願第２００４／０００４０１４号には、同様に、一枚の板紙シートでできた被覆容器を含む、絆創膏のパッケージが開示されている。板紙シートは、絆創膏を各々収容して重ねられた包体からなる二つのユニットが並列状態で固定された後部と、折り倒されてカバーとして機能する自由な前部とを形成するように、折り曲げられている。包体は、ホッチキス針又は接着剤によって、同じ側を互いに重ねた状態で被覆容器に固定されている。このとき、反対側は使用者によって引き出されるように自由にしてある。
【０００６】
従来技術によるこの種のパッケージの欠点は、前記パッケージ内の包体の配置自体が、パッケージの内容を、実際の大きさ及びパッケージ自体の容量に関して大幅に制限するということである。実際、包体は、被覆容器への固定箇所では互いに圧縮されるが、反対側、即ち自由側では扇状をなして拡がるため、パッケージ内に拘束なしに緩い状態で収容された場合よりも大きな空間を占有する。
【０００７】
従って、パッケージの全ての有用な空間が利用されず、パッケージが収容できる包体の数、及び包体の種類が制限される。
【発明の開示】
【発明が解決しようとする課題】
【０００８】
従って、本発明の目的は、市販のパッケージと大きさが等しく、その実際の容量が市販のパッケージよりも良好に利用される、医療で使用するための製品を収容した包体のマルチパッケージを提供することである。
【課題を解決するための手段】
【０００９】
上記の及び他の目的は、特許請求の範囲に記載した、医療で使用するための製品を収容した包体のマルチパッケージにより達成される。
有利には、本発明によれば、パッケージ内で包体の束を交互に配置することにより、マルチパッケージの内容が、パッケージの大きさを大幅に増大する必要なしに、ほぼ２倍になる。更に、本発明に従って包体のマルチパッケージの容量を増大することにより、医療で使用するための製品を一つのパッケージ内に自由に良好に詰め合わせることができる。
【００１０】
本発明の実施形態によれば、パッケージ内での包体の特定の配置に関する同じ原理により、医療で使用するための製品を収容した包体のマルチパッケージであって、大きさが限られた単一のパッケージ内に様々な種類の包体が詰め合わせられることに加え、これらの包体が、パッケージの便利な開閉方法のため、及び便利なパッケージ閉鎖手段及びパッケージを固定支持体に圧着する手段のため、使用者が迅速にアクセスできるようにされたマルチパッケージが提供される。
【００１１】
次に、本発明を添付図面を参照して更に詳細に説明する。
【発明を実施するための最良の形態】
【００１２】
図１ａを参照すると、当該技術分野で知られているマルチパッケージ１１の一例が開放された形態で示してある。このマルチパッケージは、被覆容器（ｅｎｖｅｌｏｐｅ）１３を含む。この被覆容器は、複数の重ねた包体（ｗｒａｐｐｅｒ）１５が固定された第１部分１３ａと、折り目線１４に沿って折り畳むことができる第２部分１３ｂとを含む。前記包体１５の各々には、図示の例では、絆創膏（ａｄｈｅｓｉｖｅ  ｂａｎｄａｇｅ）１７が収容されており、前記包体１５は、前記被覆容器１３の前記第１部分１３ａに対し、同じ拘束側１５ａの面に留め金又は縫い目１９で固定されている。その反対側では、前記包体１５の各々の自由側１５ｂが扇状に拡がっている。図１ｂに示すように、前記マルチパッケージ１３は、前記被覆容器１３の第２部分１３ｂを前記折り目線１４に沿って折り倒すことによって閉鎖できる。
【００１３】
図２ａ乃至図６ｂを参照し、医療で使用するための製品を収容した包体の、本発明によるマルチパッケージの幾つかの実施形態が閉鎖可能な形態で示してある。
図２ａは、医療で使用するための例えば絆創膏等の製品を収容した包体の、本発明による閉鎖可能なマルチパッケージ２１を開放形態で示す。前記パッケージは、一つ以上の折り目線２４によって画定された第１部分２３ａ及び第２部分２３ｂからなる被覆容器２３を含む。複数の第１包体２５が、２列の並列状態で、留め金又は縫い目２９によって前記第１部分２３ａに取り付けられている。複数の第２包体３５が、２列の並列状態で、留め金又は縫い目３９によって前記第２部分２３ｂに取り付けられている。図２ａでは、例として、前記複数の包体２５、３５は、前記被覆容器２３の各部分２３ａ、２３ｂ上に、折り曲げて開放された、重なった包体の二つの列又は束として示してある。前記束は、各々５枚の包体によって形成されている。
【００１４】
前記パッケージ２１は、前記被覆容器２３の第２部分２３ｂを折り目線２４に沿って前記第１部分２３ａに向かって折り曲げることによって閉鎖できる。
詳細には、図２ｂから明らかになるように、包体２５、３５は、パッケージを閉鎖したとき、第１部分２３ａにある包体２５の拘束側２５ａと、第２部分２３ｂにある包体３５の自由側３５ｂが向き合い、これに対応して包体２５の自由側２５ｂと、前記第２部分に取り付けられた包体３５の拘束側３５ａとが向き合うように配置されている。換言すると、前記束のうちの一方の接合側と、前記束のうちの第２の束の自由側とが同じ方向に向けられ、これら包体の束は、互いに逆向きの状態で向かい合っている。
【００１５】
包体がこのように配置されるため、被覆容器の容量が最大になり、パッケージの大きさを大幅に変更することなく、包体の数が、図１ａの従来技術によるパッケージに対して最大２倍になる。これら全てにより、使用者に大きな利点が提供される。なぜなら、使用者は、１つのパッケージ内で様々な大きさ及び形状を有する絆創膏の多様な詰め合わせを自由に使えるためである。
【００１６】
常に、上文中に説明したのと同じ原理に従って、図３は、図２ａのマルチパッケージ２１の変形例を開放形態で示す。この変形例は「本」のように閉鎖することを特徴とする種類である。
【００１７】
次に、図４ａ乃至図５を参照すると、これらの図には、本発明の別の二つの実施形態が示してある。
図４ａ及び図５は、医療で使用するための製品、例えば絆創膏を収容した包体の閉鎖可能なマルチパッケージ４１を開放形態で示す。ここでは、被覆容器４３は、多くの部分４３ａ、４３ｂ、４３ｃ、４３ｄを含み（例えば、図４ａ及び図５では、図示の被覆容器４３は４つの部分を含む）、これらの部分の各々には、複数の包体４５ａ、４５ｂ、４５ｃ、４５ｄが夫々設けられている。これらの複数の包体４５ａ、４５ｂ、４５ｃ、４５ｄの各々は、例えば図４ａに示すように、２つ以上の別々の束に整理されていてもよいし、又は図５に示すように単一の束をなしていてもよく、パッケージを閉鎖すると、前記複数の包体４５ａ、４５ｂ、４５ｃ、４５ｄが、一方の束の拘束側が他方の束の自由側と対応するように互いに重なるような方向に従って前記被覆容器４３に取り付けられる。例えば、まず最初に外側部分４３ａ、４３ｄの夫々を折り目線４４、４４’’に沿って折り畳んだ後、前記被覆容器４３を内側の折り目線４４’に沿って折り畳むことによって閉鎖でき、図４ｂに示す「二冊本」閉鎖パッケージが得られる。更に一般的には、この実施形態によれば、マルチパッケージは、被覆容器が４つの部分に分けられ、これらの部分のうちの第１部分は、この第１部分の包体の束を第２部分の包体の束と向き合わせることによって、時計廻り方向又は反時計廻り方向に折り畳むことができ、前記部分のうちの第４部分は、この第４部分の包体の束を第３部分の包体の束と向き合わせることによって、反時計廻り方向又は時計廻り方向に折り畳むことができ、その結果形成された部分の両方は、適宜に互いの間隔が隔てられた少なくとも二つの平行な折り目線が被覆容器の内側の中央位置に設けられていることによって、同様に折り畳むことができ、かくして単一のコンパクトなパッケージが形成される。
【００１８】
前記複数の包体４５ａ、４５ｂ、４５ｃ、４５ｄの配置についての原理によって、及び折り目線４４、４４’、４４’’の存在及び位置により、他の方法で、例えば前記部分４３ａ、４３ｂ、４３ｃ、４３ｄを互いに順次折り畳むことによって、閉鎖するパッケージを提供することができる。
【００１９】
図６ａ及び図６ｂを参照すると、これらの図には、本発明の別の実施形態が示してある。図６ａは開放状態のマルチパッケージ５１を示す。被覆容器５３は、２つの折り目線５４によって画定された第１部分５３ａ及び第２部分５３ｂを含む。これらの部分５３ａ、５３ｂの両方には、図示の例において絆創膏を収容した複数の包体５５、６５が、留め金又は縫い目５９によって、夫々固定されている。前記包体５５、６５の自由側５５ｂ、６５ｂは、全て、同じ向きに配置されている。即ち、図で下方に向けられている。更に、前記マルチパッケージ５１には、前記パッケージ５１を、固定支持体、例えば壁に確実に圧着させる（ｃｌａｍｐｉｎｇ）ための手段６２が設けられている。この手段６２は、例えば、両面接着テープストリップであってもよい。
【００２０】
前記マルチパッケージ５１を壁に固定し、これを開放した場合、使用者は、絆創膏が入った包体５５、６５に容易にアクセスでき、また、その後、前記被覆容器５３の前記部分５３ａを、前記複数の包体５５、６５が図６ｂに示すように互いに向かい合うまで、折り目線５４に沿って折り倒すことによって、前記パッケージ５１を同じ位容易に閉鎖できる。この目的のため、パッケージ５１には、有利には、例えばベルクロ（Ｖｅｌｃｒｏ（登録商標））又は同様の材料でできた閉鎖手段６０、６１が設けられており、これにより、パッケージ５１は、新たに使用されるまで、適宜、閉鎖状態に維持される。
【００２１】
有利には、本発明によるマルチパッケージ５１は、多種類の絆創膏が詰め合わせられており且つ開閉が容易である他、前記支持手段６２及び閉鎖手段６０、６１が設けられているため、絆創膏の供給器／ディスペンサーとしても機能する。このようなマルチパッケージを使用することは、いつでも入手でき且つ手早く使用できる絆創膏の適切な一定の詰め合わせが一定の場所（学校、職場、等）で必要とされる場合に、特に適していることがわかる。
【００２２】
包体の束を交互に重ねる同じ原理に従って、被覆容器が常に箱の形状をとる、本発明によるマルチパッケージの２つの別の実施形態を以下に提案する。
詳細には、図７ａ及び図７ｂは本発明の第６実施形態を示し、この実施形態によれば、マルチパッケージ７１は、閉鎖可能な２つの開口部を持つ箱でできた被覆容器７３を有する。箱の内側には、例えば、前記被覆容器７３に取り付けられた２つの包体の束７５、８５が示してある。前記被覆容器７３は、前記包体７５、８５の自由側７５ｂ、８５ｂと対応する前記被覆容器７３の２つの側部の各々に、中央小翼部７６、７７及び一対の側方小翼部７９ａ、７９ｂ；８１ａ、８１ｂを備えている。前記被覆容器７３を閉鎖するためには、前記側方小翼部７９ａ、７９ｂ；８１ａ、８１ｂと前記中央小翼部７６、７７を前記被覆容器７３の内側に向かって折り畳むことで十分である。逆に、前記被覆容器７３を開放して前記包体７５、８５の前記自由側７５ｂ、８５ｂに使用者がアクセスできるようにするためには、前記小翼部を外側に向かって折り上げることで十分である。
【００２３】
図８ａ及び図８ｂは、本発明によるマルチパッケージ９１の第７実施形態を示す。この実施形態では、前記被覆容器９３は、前記包体９５、１０５の前記自由側９５ｂ、１０５ｂと対応する２つの永久的な開口部を持つ箱の形状を備えている。前記自由側は、適宜、前記包体９５、１０５への使用者のアクセスを容易にするため、前記被覆容器９３に対して突出している。
【００２４】
前記容器９３は、好ましくは剛性である。理解されるように、図７ａ乃至図８ｂに示す実施形態では、包体の束は、適宜、包体の自由側に容易にアクセスできるように、互い違いに配置されている。
【００２５】
本発明による包体のマルチパッケージは、全ての実施形態において、異種の製品の詰め合わせを収容した包体が配置されていてもよい。更に、従来の包体に入れた医療用製品を使用できる。これらの製品は、自由端を引っ張るだけで取り出すことができる。この場合、包体は、好ましくは、この包体自体の一体性を損なうことなく、包体を引き裂く（ｔｅａｒ）ことができるようにする窪み（ｉｎｄｅｎｔａｔｉｏｎ）等の手段が被覆容器への取り付け点の下流に設けられている。本発明によるマルチパッケージは、例えばドッタ（Ｄｏｔｔａ）に賦与された米国特許第４，２３５，３３７号、米国特許第４，４１８，８２２号、及び米国特許第６，７１９，１３７号に記載された種類の迅速開放型絆創膏を使用することによっても形成できる。この最後の場合では、包体の自由側から加わった引っ張り力により包体を直接開放し、絆創膏を使用者がすぐに使用できるようにする。迅速開放型絆創膏の使用は、図６ａ及び図６ｂに示すパッケージの場合に特に適当である。
【００２６】
有利には、本発明によるマルチパッケージを製造するため、入手が容易で、製造が容易で、そして低価格の様々な種類の材料を使用できる。こうした材料は、例えば、紙、板紙、プラスチック、金属、等である。
【００２７】
言うまでもないが、本発明によるマルチパッケージは、絆創膏の他、閉鎖した包体内に使用時まで保存する必要がある全ての製品に用いることができるが、とりわけ、迅速に及び容易に利用できる必要がある製品（テーブルナプキン、薬用又は消毒タンポン、膏剤、一般的な使い捨て製品、等）に用いることができる。
【００２８】
本発明を上述の実施形態を参照して説明し且つ例示したが、当業者の通常の知識によれば、特許請求の範囲の保護範囲から逸脱しないこの他の変形例が可能である。
【図面の簡単な説明】
【００２９】
【図１ａ】図１ａは、従来技術による、医療で使用するための製品を収容した包体のマルチパッケージの、開放形態の概略斜視図である。
【図１ｂ】図１ｂは、閉鎖形態の図１ａのパッケージの概略側面図である。
【図２ａ】図２ａは、本発明の第１実施形態によるパッケージの、開放形態の概略斜視図である。
【図２ｂ】図２ｂは、図２ａのパッケージの閉鎖形態の概略側面図である。
【図３】図３は、本発明によるパッケージの第２実施形態の図である。
【図４ａ】図４ａは、本発明によるパッケージの第３実施形態の図である。
【図４ｂ】図４ｂは、本発明によるパッケージの第３実施形態の図である。
【図５】図５は、本発明によるパッケージの第４実施形態の図である。
【図６ａ】図６ａは、本発明によるパッケージの第５実施形態の図である。
【図６ｂ】図６ｂは、本発明によるパッケージの第５実施形態の図である。
【図７ａ】図７ａは、本発明によるパッケージの第６実施形態の図である。
【図７ｂ】図７ｂは、本発明によるパッケージの第６実施形態の図である。
【図８ａ】図８ａは、本発明によるパッケージの第７実施形態の図である。
【図８ｂ】図８ｂは、本発明によるパッケージの第７実施形態の図である。
【符号の説明】
【００３０】
２１  マルチパッケージ
２３  被覆容器
２３ａ  第１部分
２３ｂ  第２部分
２４  折り目線
２５  第１包体
２５ａ  拘束側
２５ｂ  自由側
２９  留め金又は縫い目
３５  第２包体
３５ｂ  自由側
３９  留め金又は縫い目
【図１ａ】
2008504184.tif 000003
【図１ｂ】
2008504184.tif 000004
【図２ａ】
2008504184.tif 000005
【図２ｂ】
2008504184.tif 000006
【図３】
2008504184.tif 000007
【図４ａ】
2008504184.tif 000008
【図４ｂ】
2008504184.tif 000009
【図５】
2008504184.tif 000010
【図６ａ】
2008504184.tif 000011
【図６ｂ】
2008504184.tif 000012
【図７ａ】
2008504184.tif 000013
【図７ｂ】
2008504184.tif 000014
【図８ａ】
2008504184.tif 000015
【図８ｂ】
2008504184.tif 000016
【国際調査報告】
2008504184.tif 000017
2008504184.tif 000018
2008504184.tif 000019